(57)【特許請求の範囲】
【請求項１】
ガス機器のガス絞り弁に取付ける絞りレバーを、ガス絞り弁に固定するレバー基板と、該レバー基板の前部に移動可能に連設した可動レバー板とによって構成し、該可動レバー板に係止爪を設け、可動レバー板の操作により、絞りレバーの中間位置で係止爪を一定位置にあるストッパに係脱させるガス機器の火力調整装置において、可動レバー板の後面に絞り行程の途中でストッパに係止できる係止爪を設け、該可動レバー板を、常時はレバー基板から前方に弾発して係止爪の軌跡をストッパの前方に変位させ、可動レバーの押し込みにより係止爪をストッパと係止する位置に移動させることを特徴とする、ガス機器の火力調整装置。
【請求項２】
請求項１において、絞りの上限位置と下限位置で前記ストッパに係止される振り幅規制穴を、該ストッパを囲んでレバー基板に設け、前記可動レバー板をレバー基板から前方に弾発して係止爪をストッパの前方に変位させたことを特徴とする、ガス機器の火力調整装置。
【発明の詳細な説明】
【０００１】
【発明の属する技術分野】
本発明は、使用中にガス量を急速に絞ることがあるガス機器、特にガス調理器に利用される。
【０００２】
【従来の技術】
ガス機器において、火力を弱めるために絞り弁を急速に絞ると、ガス量の減少に空気量の減少が追従できず、空気の比率が過大になって失火してしまうことがある。この現象を防止するために、絞り操作の途中で絞りレバーを一旦停止させる装置を設置したものが知られている（例えば実開平３−３０１１９号公報）。該公報の装置は、図７に示すように、固定部分ａに対して絞りレバーｂを矢印イ方向及びその逆方向に回動自在に設け、固定部分ａの前端一側に当り面ａ11と円弧面ａ12を有するストッパａ1を設け、絞りレバーｂをＬ字形として縦部分ｂ1の上端に一対の肩部ｂ11を設け、逆Ｌ字形のつまみｂ2の縦部分ｂ21に設けた切込みを前記肩部ｂ11に支持させることにより、つまみｂ2を肩部ｂ11を中心として揺動自在かつバネｃで一方向に弾発して設け、更に該つまみｂ2の縦部分ｂ21に係止爪ｂ22を設けたものである。この装置において、つまみｂ2を介して絞りレバーｂを矢印イの弱火方向に回動すると、中間位置で係止爪ｂ22がストッパａ1の当り面ａ11に衝突して停止するが、つまみｂ2を矢印ロ方向に揺動させると、係止爪ｂ22が当り面ａ11から外れてイ方向への回動の継続が可能になる。この操作にあって、前記の停止により絞り作用が遅くなり、失火するのが防止される。また弱火から強火にするときは、矢印イと反対に絞りレバーｂをつまみｂ2と共に回動させるが、このとき係止爪ｂ22はバネｃを伸ばしながら円弧面ａ12上を滑り、当り面ａ11を過ぎるとバネｃの弾力で復元する。
【０００３】
この装置においては、係止爪ｂ22が、弱火側へ動くとき当り面ａ11に衝突し、また強火側へ動くときは円弧面ａ12と摩擦するので、ごつごつした感じがして滑らかな操作感が得られない。また、強火から弱火にする場合に、つまみｂ2を絞り方向に単に回動すると、係止爪ｂ11が当り面ａ11に必ず衝突するから、使用者は、この衝突した位置を弱火と勘違いすることがあり、所望の弱火の絞りが得られない不都合もある。その上、停止位置から弱火方向へ調節するとき、つまみｂ2を押上げながら僅かずつ回動しなければならないので操作が面倒である。
【０００４】
一方、弱火操作のとき失火するのを防止する別の手段として、ストッパ機構を設けないで、急速に絞っても失火しない程度のガス量を確保するようにしたものも知られているが、絞りレバーの操作がごつごつした感触がなく円滑に行なわれるため、却って炊飯などの中火力の設定が困難になった。
【０００５】
【発明が解決しようとする課題】
本発明は、絞りレバーを強火から弱火に動かすとき、又は弱火から強火に動かすときのいずれかにおいても、滑らかに操作することができると共に、強火から容易に中火にすることができ、更に中火から弱火に微調整し易い機構を得ることを課題とする。
【０００６】
【課題を解決するための手段】
前記の課題を解決するための手段の一つは、請求項１に記載したとおり、ガス機器のガス絞り弁に取付ける絞りレバーを、ガス絞り弁に固定するレバー基板と、該レバー基板の前部に移動可能に連設した可動レバー板とによって構成し、該可動レバー板に係止爪を設け、可動レバー板の操作により、絞りレバーの中間位置で係止爪を一定位置にあるストッパに係脱させるガス機器の火力調整装置において、可動レバー板の後面に絞り行程の途中でストッパに係止できる係止爪を設け、該可動レバー板を、常時はレバー基板から前方に弾発して係止爪の軌跡をストッパの前方に変位させ、可動レバーの押し込みにより係止爪をストッパと係止する位置に移動させることを特徴とする。
【０００７】
この手段によれば、可動レバー板を左右に押して回動することにより、該可動レバー板はレバー基板と共に円滑に動いて火力を強弱に任意に調整することができる。しかし、強火から火を弱めるとき、可動レバー板を先方に押込みながら回動すると、中火位置で係止爪がストッパに衝突して停止する。ここで押込みをやめれば係止爪はストッパから解除され、可動レバー板の弱火への回動が可能になるが、可動レバー板を先方へ押さなくてもよいので、調節が容易にできる。
【０００８】
また他の手段は、請求項２に記載したとおり、請求項１において、絞りの上限位置と下限位置で前記ストッパに係止される振り幅規制穴を、該ストッパを囲んでレバー基板に設け、前記可動レバー板をレバー基板から前方に弾発して係止爪をストッパの前方に変位させたことを特徴とする。
【０００９】
この手段によれば、絞りレバーが平らに形成され、ストッパが絞りレバーの振り幅規制と中火の設定の両方に利用されるから、該絞りレバー及びこれに関連する構成が小型になる。
【００１０】
【発明の実施の形態】
以下、本発明の実施の形態を図面を参照して説明する。図１〜３において、１はガス機器の絞り弁、２は絞り弁１の上部に固定したベース板で、該ベース板２の頂面には絞りレバー３がピン軸４で枢着され、ベース板２の垂下部２ａには傾斜したカム溝５が切り取られている。なお、該垂下部２ａと反対側に上向きに２ｂとして設けた突起は、後記するストッパである。
【００１１】
図３に示すように、絞り弁１の本体には、弁孔１ａとこれに通じる入口１ｂ、出口１ｃが開けられ、弁孔１ａ内には弁体６が挿入され、これと一体の従動ピン６ａを介して弁座１ｄに対して昇降する操作がなされる。
【００１２】
また、絞り弁１の側面には、縦レバー７がピン軸７ａで枢着され、該縦レバー７の上端に設けた縦溝７ｂが前記従動ピン６ａに係合し、突部７ｃが絞りレバー３と係合している。
【００１３】
前記絞りレバー３は、図４に示すように、レバー基板３ａと可動レバー板３ｂを有し、両板３ａ，３ｂを略同一平面上で伸縮自在に、且つピン軸４から離れる方向にバネ８で弾発して設けてあり、可動レバー板３ｂ側から操作される。レバー基板３ａには、主部９とアーム１０が分岐して形成され、主部９には、中間のガイド９ａと先端のガイド９ｂが屈曲形成され、それぞれにガイド穴９ａ1，９ｂ1が設けられる。またピン軸４とガイド９ａの間に前記ストッパ２ｂが入る円弧状の振り幅規制穴１１が設けられ、アーム１０には、前記縦レバー７の突部７ｃが入る連動穴１２が設けられる。前記振り幅規制穴１１の長さは、絞りレバー３の角度αの揺動を可能にする。
【００１４】
可動レバー板３ｂの後部側には、屈曲部１３ａを介して枠部１３が設けられ、該枠部１３内に二つの突片１３ｂ，１３ｃが伸び、可動レバー板３ｂの前部側がガイド穴９ｂ1に挿入され、枠部内の突片１３ｂがガイド穴９ａ1に挿入されている。そしてバネ８が突片１３ｂ，１３ｃに外嵌してガイド９ａと枠部１３の内縁間に介入し、屈曲部１３ａをガイド９ｂに押しつけている。
【００１５】
そして、枠部１３の後部側の端面には、凹曲面１４と係止爪１５が設けられ、バネ８が伸長した自由状態で係止爪１５はストッパ２ｂの外側に押されて係止しない状態になっており、このまま絞りレバー３を回動しても係止爪１５とストッパ２ｂは係止しない。
【００１６】
以上により、可動レバー板３ｂに長手方向の力を加えずに図５に示すように左右に揺動すると、レバー基板３ａも共に揺動し、該レバー基板３ａに設けたアーム１０の連動穴１２とこれに挿入された突部７ｃを介して縦レバー７がピン軸７ａを中心として回動し、縦溝７ｂで従動ピン６ａを押し、該ピン６ａをカム溝５に沿って移動させ、弁体６を弁座１ｄに対して上下動させてガス流量を強弱に調節する。
【００１７】
そして、強火側からガスを絞りながら中火位置で停止させたい場合は、図６に示すように可動レバー板３ｂを押し込んで係止爪１５を前方に移動させた状態で回動し、回動中に係止爪１５がストッパ２ｂに当接した位置が中火位置であり、レバー３の回動を止めれば中火状態が保たれる。そして可動レバー３ｂの押し込みを止めれば、可動レバー板３ｂが復元して図６に示す距離Ｓだけ移動するので、係止爪１５の軌跡はストッパ２ｂから外れ、可動レバー板３ｂとレバー基板３ａを一緒に任意の弱火位置に回動させることができる。
【００１８】
【発明の効果】
以上のとおり、請求項１の手段によれば、絞りレバーを自由に回動して火力を任意に調節でき、この調節の際にごつごつ感が全くなく触感が良好である。また、強火から中火にしたいときは、可動レバー板を押し込みながら回動すれば、絞りレバーは中火位置で必ず停止するから操作が簡単である。そして中火以下の弱火にしたいときは、前記の中火位置で停止する操作をしたのち可動レバー板を復元させて所望の弱火位置に調節するが、可動レバー板を先方に押さなくてもよいので調節が容易にできる。
【００１９】
また請求項２の手段によれば、絞りレバーのレバー基板と可動レバー板が略同一平面上に配置され、ストッパが絞りレバーの振り幅規制と中火の設定の両方に利用されるから、絞りレバーの構成を極めて簡単で小型に作ることができる利点がある。
【図面の簡単な説明】
【図１】  本発明の実施の形態の平面図
【図２】  同じく側面図
【図３】  図２の３−３線断面図
【図４】  要部の斜視図
【図５】  通常の操作の説明図
【図６】  ストッパ利用時の説明図
【図７】  従来例の斜視図
【符号の説明】
１  絞り弁                ２  ベース板
２ｂ  ストッパ              ３  絞りレバー
３ａ  レバー基板          ３ｂ  可動レバー板
５  カム溝                ６  弁体
６ａ  従動ピン              ７  縦レバー
１０  アーム              １１  振り幅規制
１４  凹曲面              １５  係止爪
【図１】
0003789679.tif 000002
【図２】
0003789679.tif 000003
【図３】
0003789679.tif 000004
【図４】
0003789679.tif 000005
【図５】
0003789679.tif 000006
【図６】
0003789679.tif 000007
【図７】
0003789679.tif 000008